【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
オーバーパック用のライナーの製造方法であって、
重合体ライナー予備成形体を提供する工程と、
前記ライナーを形成するために前記予備成形体を成形用鋳型に実質的に一致          するように膨張させる工程と、
前記オーバーパック内に挿入するために、前記ライナーを折畳む工程と、
を含む、ライナーの製造方法。
【請求項２】
前記ライナーを前記オーバーパック内に配置させる工程と、
前記ライナーを前記オーバーパックの内で膨張させる工程と、
をさらに含む、請求項１に記載のライナーの製造方法。
【請求項３】
前記成形用鋳型は前記オーバーパックのネガイメージを有する、請求項１又は請求項２に記載のライナーの製造方法。
【請求項４】
前記ライナーを、前記オーバーパックの内面に実質的に一致するまで膨張させる、請求項２に記載のライナーの製造方法。
【請求項５】
前記ライナー予備成形体を提供する工程は、重合体材料を射出成形してライナー予備成形体を形成することを含む、請求項１ないし請求項４の何れか１項に記載のライナーの製造方法。
【請求項６】
前記ライナー予備成形体を提供する工程は、多層予備成形体を提供することを含む、請求項１ないし請求項５の何れか１項に記載のライナーの製造方法。
【請求項７】
前記多層予備成形体は一体化されたガス障壁体層を含む、請求項６に記載のライナーの製造方法。
【請求項８】
前記ライナー予備成形体はガス障壁体として作用する重合体を含む、請求項１ないし請求項７の何れか１項に記載のライナーの製造方法。
【請求項９】
前記折畳み工程を行う前に前記ライナーの漏洩試験を行う工程をさらに含む、請求項１ないし請求項８の何れか１項に記載のライナーの製造方法。
【請求項１０】
前記ライナー予備成形体は一体化された嵌込み開口部を備える、請求項１ないし請求項９の何れか１項に記載のライナーの製造方法。
【請求項１１】
前記予備成形体を膨張する工程は、前記予備成形体をブロー成形することを含む、請求項１ないし請求項１０の何れか１項に記載のライナーの製造方法。
【請求項１２】
前記予備成形体をブロー成形する前に前記予備成形体を加熱することをさらに含む、請求項１１に記載のライナーの製造方法。
【請求項１３】
前記予備成形体のブロー成形は、前記予備成形体を延伸ブロー成形することを含む、請求項１１又は請求項１２に記載のライナーの製造方法。
【請求項１４】
前記重合体材料はフルオロ重合体を含む、請求項５に記載のライナーの製造方法。
【請求項１５】
オーバーパック用のライナーであって、
前記オーバーパック内に実施的に一致する本体と、
前記本体に一体化された嵌め込み開口部とを含み、
前記本体は、着脱自在に前記オーバーパック内に挿入されかつ前記オーバーパック内で再膨張される
ライナー。
【請求項１６】
前記ライナーは、
重合体のライナー予備成形体を提供する工程と、
前記予備成形体を、前記オーバーパックのネガイメージを有した成形用鋳型に実質的に一致するように膨張させ、前記ライナーを形成する工程と、から形成され、
それにより前記ライナーは単一の構成要素として形成される、請求項１５に記載のライナー。
【請求項１７】
前記本体は複数の層を含む、請求項１５又は請求項１６に記載のライナー。
【請求項１８】
前記複数の層は２種以上の材料を含む、請求項１７に記載のライナー。
【請求項１９】
前記本体は一体化されたガス障壁体層を含む、請求項１７又は請求項１８に記載のライナー。
【請求項２０】
前記ライナーは鋳型の形状線を実質的に有さない、請求項１５ないし請求項１９の何れか１項に記載のライナー。
【請求項２１】
前記ライナーは自由形状ライナーである、請求項１５ないし請求項２０の何れか１項に記載のライナー。
【請求項２２】
前記本体はフルオロ重合体を含む、請求項１５ないし請求項２１の何れか１項に記載のライナー。
【請求項２３】
前記本体はガス障壁体として作用するフルオロ重合体を含む、請求項２２に記載のライナー。
【請求項２４】
ライナーおよびオーバーパックからなるライナー式貯蔵容器および供給システムであって、
前記ライナーを形成するために、前記重合体ライナー予備成形体を成形用鋳型に実質的に一致するように膨張させる工程と、
前記オーバーパック内に挿入するために前記ライナーを折畳む工程と、
前記ライナーを前記オーバーパック内に配置する工程と、
前記ライナーを前記オーバーパック内で膨張させる工程と、
により製造される、ライナー式貯蔵容器および供給システム。
【請求項２５】
前記成形用鋳型が前記オーバーパックのネガイメージを有する、請求項２４に記載のライナー式貯蔵容器および供給システム。
【請求項２６】
前記ライナーがガス障壁体を含む、請求項２４又は請求項２５に記載のライナー式貯蔵容器および供給システム。
【請求項２７】
前記ライナー予備成形体を膨張する工程は、前記ライナー予備成形体をブロー成形することを含む、請求項２４ないし請求項２６の何れか１項に記載のライナー式貯蔵容器および供給システム。
【請求項２８】
前記ライナー予備成形体のブロー成形は、ライナー予備成形体の延伸ブロー成形を含む、請求項２７に記載のライナー式貯蔵容器および供給システム。
【請求項２９】
オーバーパック用のライナーの製造方法であって、
フルオロ重合体のライナー予備成形体を提供する工程と、
前記予備成形体を加熱する工程と、
前記ライナーを形成するために、前記予備成形体を実質的に前記オーバーパックの寸法まで膨張させる工程と、
を含む、ライナーの製造方法。
【請求項３０】
前記ライナーを前記オーバーパックに挿入するために折畳む工程と、
前記ライナーを前記オーバーパック内に配置する工程と、
前記ライナーを前記オーバーパック内で膨張させる工程と、
をさらに含む、請求項２９に記載のライナーの製造方法。
【請求項３１】
前記ライナーは実質的に薄壁を有し、前記ライナーは折畳み可能でかつ再膨張可能である、請求項２９又は請求項３０に記載のライナーの製造方法。
【請求項３２】
前記ライナーが、前記オーバーパックの内面に実施的に一致するまで再膨張される、請求項３１に記載のライナーの製造方法。
【請求項３３】
前記予備成形体を膨張する工程は、フルオロ重合体のライナー予備成形体をブロー成形することを含む、請求項２９ないし請求項３２の何れか１項に記載のライナーの製造方法。
【請求項３４】
前記フルオロ重合体のライナー予備成形体のブロー成形は前記オーバーパック内で行われる、請求項３３に記載のライナーの製造方法。
【請求項３５】
前記フルオロ重合体のライナー予備成形体を提供する工程は、フルオロ重合体材料を射出成形することを含む、請求項２９ないし請求項３４の何れか１項に記載のライナーの製造方法。
【請求項３６】
前記フルオロ重合体のライナー予備成形体を提供する工程は、多層予備成形体を提供することを含む、請求項３５に記載のライナーの製造方法。
【請求項３７】
前記多層予備成形体は一体化されたガス障壁体層を含む、請求項３６に記載のライナーの製造方法。
【請求項３８】
前記ライナー予備成形体はガス障壁体として作用するフルオロ重合体を含む、請求項２９ないし請求項３７の何れか１項に記載のライナーの製造方法。
【請求項３９】
前記フルオロ重合体のライナー予備成形体は、一体化された嵌込み開口部を備える、請求項３５に記載のライナーの製造方法。
【請求項４０】
前記フルオロ重合体の予備成形体のブロー成形は、前記フルオロ重合体の予備成形体を延伸ブロー成形することを含む、請求項３３記載のライナーの製造方法。
【手続補正２】
【補正対象書類名】明細書
【補正対象項目名】００２４
【補正方法】変更
【補正の内容】
【００２４】
使用に際して、オーバーパック１０内のライナー２０は、酸、溶媒、塩基、フォトレジスト、ドーパント、無機、有機および生物学的溶液、薬剤、および放射性化学薬品などの超高純度溶液で満たされ充填される。またライナー２０は、これらに限定されるものではないが、ソフトドリンク、クッキングオイル、農薬、健康および口腔衛生用品、および化粧品などの他の産業分野の製品で満たすことができるものと認識されたい。もし必要ならば内容物は加圧下で封入される。ライナー２０の内容物の供給が必要な場合には、内容物はライナーの口部２８およびオーバーパック１０の口部１６から取り出され、ライナー２０は内容物が無くなるのに従って折畳まれる。上記のように、ライナー２０の内容物の供給を促すために、ガス導入口１８からガスをライナー壁２４とオーバーパック壁１２間のオーバーパック１０内に流すことができる。さらに別の実施形態では、流体もしくはガスの管路をガス導入口１８に取付けて、駆動流体または駆動ガスをライナー２０の折畳みおよびライナー２０の内容物の供給に用いることができる。使用後、折畳まれたライナー４０は処分される。